(57)【特許請求の範囲】
【請求項１】
複数の用紙収納部から指定されたサイズの用紙を選択して印字装置方向へ１枚ずつ給紙する給紙装置において、給紙された用紙が前記印字装置に達する前にその用紙の先端を検知する先端検知センサに対して同列で、かつ給紙可能な大小の各用紙の両側におけるサイズ差の略中間位置に設けられて用紙の有無を検知する用紙検知センサと、この用紙検知センサからの用紙有無検知信号と指定された用紙のサイズ情報を受けて、指定された用紙の異常給紙を判断して印字動作を停止させる制御手段とを備えたことを特徴とする給紙装置。
【請求項２】
前記制御手段によって、給紙可能な大小の用紙のうちで小サイズの用紙が給紙された状態で、前記用紙検知センサからの用紙有り検知信号を受けて印字動作を停止させることを特徴とする請求項１記載の給紙装置。
【請求項３】
前記制御手段によって、給紙可能な大小の用紙のうちで大サイズの用紙が給紙された状態で、前記用紙検知センサからの用紙無し検知信号を受けて印字動作を停止させることを特徴とする請求項１または２記載の給紙装置。
【請求項４】
複数の用紙収納部から指定されたサイズの用紙を選択して印字装置方向へ１枚ずつ給紙する給紙装置において、給紙された用紙が前記印字装置に達する前にその用紙の先端を検知する先端検知センサに対して同列で、かつ給紙可能な大中小の各用紙の両側のそれぞれにおけるサイズ差の略中間位置に設けられて用紙の有無を検知する用紙検知センサと、この用紙検知センサからの用紙有無検知信号と指定された用紙のサイズ情報を受けて、指定された用紙の異常給紙を判断して印字動作を停止させる制御手段とを備えたことを特徴とする給紙装置。
【発明の詳細な説明】
【０００１】
【発明の属する技術分野】
本発明は、ファクシミリ装置，複写機，プリンタなどの印字装置(画像形成装置)部分に適用され、印字装置に用紙を１枚ずつ給紙するための給紙装置に関するものである。
【０００２】
【従来の技術】
従来、ファクシミリ装置などでは、用紙収納カセットあるいはトレイなどからなる用紙収納部に用紙を積載収納しておき、印字(画像形成を含めて印字という)が開始された時点で用紙を１枚ずつ印字装置方向へ給紙するための給紙装置が設けられている。
【０００３】
給紙装置の用紙収納部には収納されている用紙のサイズを検知するためのセンサが設置され、印字に際してその印字に適合したサイズの用紙が給紙されるようになっている。また静電式画像形成システムの印字装置を構成する感光体の手前には、通常、感光体におけるトナー像形成部分に対してタイミングを取って用紙を給紙するため、用紙先端を検知するためのレジストセンサが設置されている。
【０００４】
そして、レジストセンサによる用紙先端の検知から、用紙を所定量搬送した後に、用紙に対する印字(トナー転写)が開始されるようになっている。
【０００５】
図10は感光体に対する用紙搬送の説明図であり、１は感光体、２は給紙された用紙、３はレジストセンサ、Ｔは給紙される用紙サイズに対応して感光体１表面に形成されたトナー像形成領域であり、用紙２の先端が感光体１におけるトナー像形成領域Ｔに対して略直交するように正常に給紙される場合には、用紙２の幅内側にトナー像形成部Ｔがあるように設定されているため、用紙２表面に正常にトナー像転写が行われる。
【０００６】
【発明が解決しようとする課題】
しかし、前記従来の給紙装置において、図10の２点鎖線に示すように、用紙がスキューした状態であっても、レジストセンサ３によって用紙先端が検知されれば印字動作は行われるため、用紙２が搬送されて感光体１表面まで給紙される。このためスキュー状態にある用紙２の幅片方にトナー像形成領域Ｔがはみ出てしまい、用紙２には転写されないトナー像Ｔoが存在することになる。この未転写のトナー像Ｔoは、感光体１に連れ回りするように設けられている転写ローラ(図示せず)に付着したり、あるいは感光体と転写ローラとの間で摺られて、感光体１を傷つけてしまうことがあるという問題があった。
【０００７】
そこで本発明の目的は、前記従来の問題を解決し、印字装置に対して用紙が正常に給紙されない場合における不具合の発生を防止することができる給紙装置を提供することにある。
【００１２】
【課題を解決するための手段】
前記目的を達成するため、本発明は、複数の用紙収納部から指定されたサイズの用紙を選択して印字装置方向へ１枚ずつ給紙する給紙装置において、給紙された用紙が前記印字装置に達する前にその用紙の先端を検知する先端検知センサに対して同列で、かつ給紙可能な大サイズと小サイズの各用紙両側におけるサイズ差の略中間位置に設けられて用紙の有無を検知する用紙検知センサと、この用紙検知センサからの用紙有無検知信号と指定された用紙のサイズ情報を受けて、指定された用紙の異常給紙を判断して印字動作を停止させる制御手段とを備えたものであって、この構成により、指定されたサイズの用紙における給紙状態、すなわち、給紙指定された用紙が印字領域外に給紙されているか否かを判断することが可能になり、異常給紙の際には、その用紙が印字装置に達する前に印字動作を停止することによって、印字装置の印字領域における異常給紙によるトラブルを防止することができる。
【００１３】
また本発明は、前記制御手段によって、給紙可能な大小の用紙のうちで小サイズの用紙が給紙された状態で、前記用紙検知センサからの用紙有り検知信号を受けて印字動作を停止させることによって、小サイズの用紙(例えばＢ４サイズに対するＡ４サイズ)の給紙に際して、印字装置の印字領域における異常給紙によるトラブルを防止することができる。
【００１４】
また本発明は、前記制御手段によって、給紙可能な大小の用紙のうちで大サイズの用紙が給紙された状態で、前記用紙検知センサからの用紙無し検知信号を受けて印字動作を停止させることによって、大サイズの用紙(例えばＡ４サイズに対するＢ４サイズ)の給紙に際して、印字装置の印字領域における異常給紙によるトラブルを防止することができる。
【００１５】
また本発明は、複数の用紙収納部から指定されたサイズの用紙を選択して印字装置方向へ１枚ずつ給紙する給紙装置において、給紙された用紙が前記印字装置に達する前にその用紙の先端を検知する先端検知センサに対して同列で、かつ給紙可能な大，中，小の各サイズの各用紙両側のそれぞれにおけるサイズ差の略中間位置に設けられて用紙の有無を検知する用紙検知センサと、この用紙検知センサからの用紙有無検知信号と指定された用紙のサイズ情報を受けて、指定された用紙の異常給紙を判断して印字動作を停止させる制御手段とを備えたものであって、この構成により、指定されたサイズの用紙における給紙状態、すなわち、給紙指定された大中小のサイズ(例えばＡ４，Ｂ４，Ａ３サイズ)用紙が印字領域外に給紙されているか否かを判断することが可能になり、異常給紙の際には、その用紙が印字装置に達する前に印字動作を停止することによって、印字装置の印字領域における異常給紙によるトラブルを防止することができる。
【００１６】
【発明の実施の形態】
以下、本発明の好適な実施形態を図面を参照しながら説明する。
【００１７】
図１は本発明の実施形態を説明するためのファクシミリ装置の全体構成図であって、10は原稿読取装置、20は画像形成装置(印字装置)であり、原稿読取装置10は、原稿載置トレイ11と、原稿搬送ローラ12，13と、原稿排出ローラ14と、原稿搬送ローラ12，13間に設置された原稿コンタクトガラス15と、原稿コンタクトガラス15の下方に設置された光学式画像読取装置16などから構成されている。光学式画像読取装置16は、原稿コンタクトガラス15上の原稿を照明するためのランプ17と、受光素子(光電変換素子)18と、原稿からの反射光を受光素子18へ集光させるための光学素子19などからなっている。
【００１８】
画像形成装置20は、ベルト状の感光体21と、感光体21に対してトナーを転移させるための現像ローラ22を内蔵している現像ユニット部23と、現像ユニット部23に供給する新規トナーを貯蔵するトナー貯蔵タンク部24と、トナー貯蔵タンク部24に一体に設けられて、感光体21上に残留した廃棄トナーを回収するためのクリーニング部25と、感光体21周りに設置された除電部26，帯電部27，転写ローラ28などの公知の静電式画像形成部材と、定着ユニット部29と、排出ローラ30と、排紙トレイ31と、感光体21に対して入力された画像情報に基づきレーザ光を照射して、潜像を形成させるための光学系ユニット部32と、後述する給紙装置40などからなっている。
【００１９】
給紙装置40は、原稿読取装置10と画像形成装置20の設置位置下方に設けられており、本例では３つの用紙収納カセット41a，41b，41cと、各用紙収納カセット41a，41b，41cに設けられて積載されている用紙Ｐを１枚ずつ送り出す給紙コロ42a，42b，42cと、用紙を所定方向へ給紙搬送する中間搬送ローラ43a，43b，43cと、用紙の給紙搬送を案内するガイド板44a，44b，44cなどからなり、さらに、感光体21に対する転写ローラ28の設置部(印字部)近傍であって、かつ転写ローラ28の設置部よりも用紙給紙方向(用紙の給紙搬送路は破線によって示してある)の上流側に設置され、給紙されてきた用紙の先端を検知する先端検知センサであるレジストセンサ45と、各用紙収納カセット41a，41b，41cに設置されて用紙Ｐのサイズ(Ａ４サイズ，Ｂ４サイズ，Ａ３サイズなど)を検知するためのサイズ検知センサ46a，46b，46cなどからなっている。
【００２０】
図２は前記構成のファクシミリ装置における制御系の概略構成を示すブロック図であり、50は制御系の各部におけるデータの授受を行わせるためのバス、51はファクシミリ装置本体の外側部に設けられて動作状態あるいはモード設定状態などを表示する表示部、52はファクシミリ装置本体の外側部に設けられて各部へデータを入力するための操作部、53は通信回線と画像形成装置20とを回線コントローラ(ＮＣＵ)54を介して接続するモデム、55と56はシステムのプログラムなどが入力されているメモリ手段であるＲＯＭとＲＡＭ、57は入力データを一時的に記憶するメモリ、58は前記各部をコントロールするＣＰＵ(中央演算処理部)である。
【００２１】
原稿読取装置10における原稿情報の読み取り動作、および画像形成装置20における印字動作については公知であるので詳しい説明を省略する。
【００２２】
図３は本発明の実施形態を説明するための給紙部の参考例１における要部の説明図であり、感光体21に対する転写ローラ28の設置部よりも用紙給紙方向(矢示方向)の上流側に設置されているレジストセンサ45の横に、用紙有無検知センサであるスキューセンサ60が並べて設置されている。このスキューセンサ60は、感光体21における印字領域(Ｔはトナー像形成領域)Ｓの外側に設置されている。スキューセンサ60の検知はＣＰＵ58によって監視されており、スキューセンサ60からの用紙有り検知信号を受けてＣＰＵ58は、画像形成装置20における印字動作を停止させるように構成されている。
【００２３】
参考例１における給紙制御について、図４のフローチャートを参照して説明する。すなわち、用紙Ｐが給紙されて(S1-1)、図３に実線で示すように用紙Ｐがスキューせずに給紙されたときには、用紙Ｐの先端の通過によりレジストセンサ45が検知オン(S1-2のYES)となると共に、スキュー許容範囲内においてスキューセンサ60は用紙を検知しないために検知オフ(S1-3のYES)となる。ＣＰＵ58は、検知オフ信号を受けて、用紙の給紙動作と画像形成装置20における印字動作を継続させて、所定の印字を行わせる(S1-4)。
【００２４】
しかし、図３に２点鎖線で示すように用紙Ｐがスキューしたときには、用紙Ｐの先端の通過によりレジストセンサ45が検知オン(S1-2のYES)となるが、スキューセンサ60はその用紙のスキューを検知して検知オン(S1-3のNO)となる。すると、ＣＰＵ58は、検知オン信号を受けて、用紙の給紙動作と画像形成装置20における印字動作を停止させる(S1-5)。このスキューの発生、すなわち動作停止は表示部51に表示されて、ユーザによるスキュー紙の除去を待つ。
【００２５】
このように、感光体21における印字領域Ｓより外側に用紙が給紙されるようになると、スキューセンサ60が検知して前記のように動作停止状態になるため、トナー像形成領域Ｔにおける図３に示すような、用紙に転写されない部位Ｔoのトナーが転写ローラ28に付着してしまったり、そのトナーが感光体21と転写ローラ28間で摺れ、感光体21あるいは転写ローラ28の寿命を短くしたり、用紙に地肌汚れや裏汚れを生じさせて画質を低下させるなどの不具合の発生を防ぐことができる。
【００２６】
図５は給紙部の参考例２を説明するための要部の説明図であり、感光体21に対する転写ローラ28の設置部よりも用紙給紙方向(矢示方向)の上流側に設置されているレジストセンサ45の横左右に、それぞれ用紙有無検知センサであるスキューセンサ60，61を並べて設置し、さらに、両スキューセンサ60，61を、感光体21における印字領域Ｓの外側にそれぞれ設置している。
【００２７】
スキューセンサ60，61の検知は、参考例１と同様に、ＣＰＵ58によって監視されており、スキューセンサ60，61からの用紙有り検知信号を受けてＣＰＵ58は、画像形成装置20における印字動作を停止させるように構成され、スキューが左右いずれであっても検知可能にして、前記のような動作が行われるようにしてある。
【００２８】
図６は本発明に係る給紙部の第１実施形態を説明するための要部の説明図であり、本例では以下にＡ４サイズとＢ４サイズの用紙が給紙可能であるとして説明する。そして、Ａ４サイズよりサイズが大きいＢ４サイズの用紙を検知することができるように、レジストセンサ45の横で、かつＢ４サイズの通紙領域における内両側部分にレジスト横・サイズ検知センサ63，64を並べて設置してある。このレジスト横・サイズ検知センサ63，64の検知はＣＰＵ58によって監視されており、レジスト横・サイズ検知センサ63，64からの検知信号を受けてＣＰＵ58は、画像形成装置20における印字動作を制御するように構成されている。
【００２９】
第１実施形態における給紙制御について、図７のフローチャートを参照して説明する。印字のためにＢ４サイズの用紙が選択されると、ＣＰＵ58は、図１に示す給紙装置40における用紙収納カセット41a，41b，41cのサイズ検知センサ46a，46b，46cから検知信号を受けて、Ｂ４サイズの用紙Ｐを収納している用紙収納カセットを選択して、Ｂ４サイズの用紙の給紙動作を開始させる(S2-1)。そして、スキューせずに給紙されたときには、その用紙Ｐの先端の通過によりレジストセンサ45が検知オン(S2-2のYES)となると共に、レジスト横・サイズ検知センサ63，64が両方検知オン(S2-3のYES)となる。ＣＰＵ58は、検知オン信号を受けて、給紙された用紙が選択されたサイズと一致するＢ４サイズの用紙であると判断して、給紙動作と画像形成装置20における印字動作を継続させて、所定の印字を行わせる(S2-4)。
【００３０】
しかし、用紙Ｐがスキューしたときには、用紙Ｐの先端の通過によりレジストセンサ45が検知オン(S2-2のYES)となっても、レジスト横・サイズ検知センサ63，64の一方が検知オフ(S2-3のNO，S2-5のYES)となれば、その用紙がスキュー状態であると判断される(S2-6)。すると、ＣＰＵ58は、検知オフ信号を受けて、用紙の給紙動作と画像形成装置20における印字動作を停止させる(S2-7)。このスキューの発生、すなわち動作停止は表示部51に表示されて、ユーザによるスキュー紙の除去を待つ。
【００３１】
また、用紙収納カセットにＢ４サイズ以外にＡ４サイズの用紙が混入されている場合であって、Ｂ４サイズの用紙Ｐに対して印字が行われるにも係らずそのＡ４サイズの用紙が給紙されてしまったときには、レジスト横・サイズ検知センサ63，64が両方検知オフ(S2-3のNO，S2-5のNO)となるため、ＣＰＵ58は、サイズ検知センサ46a，46b，46cから検知信号を受けると、レジスト横・サイズ検知センサ63，64からの検知オフ信号を受けて、用紙不一致、すなわちＡ４サイズの用紙が給紙されたと判断し(S2-8)、用紙の給紙動作と画像形成装置20における印字動作を停止させることになる(S2-7)。
【００３２】
このように、スキューあるいはサイズ違いの給紙によって、前記のように用紙に転写されない部位Ｔoのトナーが転写ローラに付着してしまったり、そのトナーが感光体と転写ローラ間で摺れ、感光体あるいは転写ローラの寿命を短くしたり、用紙に地肌汚れや裏汚れを生じさせて画質を低下させるなどの不具合の発生を防ぐことができる。
【００３３】
なお、レジスト横・サイズ検知センサ63，64はレジストセンサ45の横に一対設置することによって、用紙の左右いずれの方向のスキューを確実に検知することができるが、少なくとも一方を設置すればよい。
【００３４】
図８は本発明に係る給紙部の第２実施形態を説明するための要部の説明図であり、この第２実施形態においては、図１に示すように、給紙装置40において３つの用紙収納カセット41a，41b，41cが設けられ、各用紙収納カセット41a，41b，41cには、それぞれＡ４サイズ，Ｂ４サイズ，Ａ３サイズの用紙Ｐが収納されているとし、さらに各用紙収納カセット41a，41b，41cには、収納されている用紙Ｐのサイズを検知するためのサイズ検知センサ46a，46b，46cが設けられている。
【００３５】
図８において、本例では最も小サイズであるＡ４サイズの用紙の通紙領域と、中間サイズであるＢ４サイズの用紙の通紙領域との横幅におけるサイズ差の略中間の位置で、かつレジストセンサ45の左右外側に用紙有無検知を行う第１用紙検知センサ右65a(以下、センサＡという)と第１用紙検知センサ左65b(以下、センサＢという)がそれぞれ設置され、さらに中間サイズであるＢ４サイズの用紙の通紙領域と、最も大サイズであるＡ３サイズの用紙の通紙領域との横幅におけるサイズ差の略中間の位置で、かつセンサＡとセンサＢの左右外側に、用紙有無検知を行う第２用紙検知センサ右66a(以下、センサＣという)と第２用紙検知センサ左66b(以下、センサＤという)がそれぞれ設置されている。
【００３６】
第２実施形態における給紙制御について、図９のフローチャートを参照して説明する。すなわち、Ａ４サイズの用紙が印字のために指定されると(S3-1のYES)、サイズ検知センサ46a，46b，46cからの検知信号を監視しているＣＰＵ58によって、用紙収納カセット41a，41b，41cからＡ４サイズの用紙Ｐを収納している用紙収納カセットが選択されて、Ａ４サイズの用紙Ｐが給紙搬送され(S3-2)、用紙Ｐがスキューせずに給紙されたときには、用紙Ｐの先端の通過によりレジストセンサ45が検知オン(S3-3のYES)となると共に、センサＡとセンサＢとが検知オフ(S3-4のYES，S3-5のYES)となる。そして、ＣＰＵ58は、検知オフ信号を受けて、用紙の給紙動作と画像形成装置20における印字動作を継続させて、所定の印字を行わせる(S3-6)。
【００３７】
しかし、Ａ４サイズの用紙Ｐがスキューしたときには、用紙Ｐの先端の通過によりレジストセンサ45が検知オン(S3-1のYES)となるが、少なくともセンサＡとセンサＢとのいずれか一方(センサＣ，センサＤが検知オンすることもある)が検知オン(S3-4のNO，S3-5のNO)となる。すると、ＣＰＵ58は、検知オン信号を受けて、用紙の給紙動作と画像形成装置20における印字動作を停止させる(S3-7)。このスキューの発生、すなわち動作停止は表示部51にエラー表示されて、ユーザによるスキュー紙の除去を待つ。
【００３８】
次に、Ｂ４サイズの用紙が印字のために指定されると(S3-1のNO，S3-8のYES)、サイズ検知センサ46a，46b，46cからの検知信号を監視しているＣＰＵ58によって、用紙収納カセット41a，41b，41cからＢ４サイズの用紙Ｐを収納している用紙収納カセットが選択されて、Ｂ４サイズの用紙Ｐが給紙搬送され(S3-9)、用紙Ｐがスキューせずに給紙されたときには、用紙Ｐの先端の通過によりレジストセンサ45が検知オン(S3-10のYES)となると共に、センサＡとセンサＢとが検知オン(S3-11のYES，S3-12のYES)となり、しかもセンサＣとセンサＤとが検知オフ(S3-13のYES，S3-14のYES)となる。そして、ＣＰＵ58は、前記検知オン・オフ信号を受けて、用紙の給紙動作と画像形成装置20における印字動作を継続させて、所定の印字を行わせる(S3-6)。
【００３９】
しかし、Ｂ４サイズの用紙Ｐがスキューしたときには、用紙Ｐの先端の通過によりレジストセンサ45が検知オン(S3-10のYES)となるが、センサＡまたはセンサＢが検知オフ(S3-11のNO，S3-12のNO)となるか、センサＣまたはセンサＤが検知オン(S3-13のNO，S3-14のNO)となる。ＣＰＵ58は、検知オン・オフ信号を受けて、用紙の給紙動作と画像形成装置20における印字動作を停止させる(S3-7)。このスキューの発生、すなわち動作停止は表示部51にエラー表示されて、ユーザによるスキュー紙の除去を待つ。
【００４０】
次に、Ａ３サイズの用紙が印字のために指定されると(S3-1のNO，S3-8のNO，S3-15のYES)、サイズ検知センサ46a，46b，46cからの検知信号を監視しているＣＰＵ58によって、用紙収納カセット41a，41b，41cからＡ３サイズの用紙Ｐを収納している用紙収納カセットが選択されて、Ａ３サイズの用紙Ｐが給紙搬送され(S3-16)、用紙Ｐがスキューせずに給紙されたときには、用紙Ｐの先端の通過によりレジストセンサ45が検知オン(S3-17のYES)となると共に、全センサＡ〜Ｄが検知オン(S3-18〜S3-21のYES)となる。そして、ＣＰＵ58は、前記検知オン信号を受けて、用紙の給紙動作と画像形成装置20における印字動作を継続させて、所定の印字を行わせる(S3-6)。
【００４１】
しかし、Ａ３サイズの用紙Ｐがスキューしたときには、用紙Ｐの先端の通過によりレジストセンサ45の検知オン(S3-17のYES)しても、全センサＡ〜Ｄが検知オフ(S3-18〜S3-21のNO)となる。ＣＰＵ58は、検知オフ信号を受けて、用紙の給紙動作と画像形成装置20における印字動作を停止させる(S3-7)。このスキューの発生、すなわち動作停止は表示部51にエラー表示されて、ユーザによるスキュー紙の除去を待つ。
【００４２】
このように、スキューなどの給紙エラーによって、前記のように用紙に転写されない部位のトナーが転写ローラに付着してしまったり、そのトナーが感光体と転写ローラ間で摺れ、感光体あるいは転写ローラの寿命を短くしたり、用紙に地肌汚れや裏汚れを生じさせて画質を低下させるなどの不具合の発生を防ぐことができる。
【００４３】
なお、前記第２実施形態においては、各用紙収納カセット41a，41b，41cには、それぞれＡ４サイズ，Ｂ４サイズ，Ａ３サイズが収納されているとして説明したが、他のサイズのものであっても、そのサイズに対応させてサイズ検知センサ46a，46b，46cを各通紙領域に設置することによって、前記と同様な作用効果が得られる。また用紙サイズも、大小の２種類のサイズ(例えばＡ４サイズ，Ｂ４サイズ)のみを収納する給紙装置、あるいは４種類以上の異なるサイズの用紙を収納することができる給紙装置にも適用することができる。
【００４６】
【発明の効果】
以上説明したように、本発明の給紙装置によれば、印字装置前に給紙されてきた用紙のサイズを検知することによって、この検知サイズが予め指定されて給紙されている用紙のサイズと異なる場合には、異常給紙であって印字領域外に給紙されていると判断し、その用紙が印字装置に達する前に印字動作を停止することによって、印字装置の印字領域における異常給紙によるトラブルを防止することができる。
【００４７】
また、指定されたサイズの用紙における給紙状態、すなわち、給紙指定された大小あるいは大中小などの異なるサイズの用紙に対して印字領域外に給紙されているか否かを判断することが可能になり、異常給紙の際には、その用紙が印字装置に達する前に印字動作を停止することによって、印字装置の印字領域における異常給紙によるトラブルを防止することができる。
【図面の簡単な説明】
【図１】  本発明の実施形態を説明するためのファクシミリ装置の全体構成図である。
【図２】  図１のファクシミリ装置における制御系の概略構成を示すブロック図である。
【図３】  本発明の実施形態を説明するための参考例１における要部の説明図である。
【図４】  参考例１における印字制御に係るフローチャートである。
【図５】  参考例２を説明するための要部の説明図である。
【図６】  本発明の第１実施形態を説明するための要部の説明図である。
【図７】  第１実施形態における印字制御に係るフローチャートである。
【図８】  本発明の第２実施形態を説明するための要部の説明図である。
【図９】  第２実施形態における印字制御に係るフローチャートである。
【図１０】  従来の給紙装置を説明するための要部の説明図である。
【符号の説明】
10…原稿読取装置、  20…画像形成装置、  21…感光体、  28…転写ローラ、  41a，41b，41c…用紙収納カセット、  45…レジストセンサ、  46a，46b，46c…サイズ検知センサ、  58…ＣＰＵ(中央演算処理部)、  60，61…スキューセンサ、  63，64…レジスト横・サイズ検知センサ、  65a，65b，66a，66b…用紙検知センサ。
【図１】
0003745861.tif 000002
【図２】
0003745861.tif 000003
【図３】
0003745861.tif 000004
【図４】
0003745861.tif 000005
【図５】
0003745861.tif 000006
【図６】
0003745861.tif 000007
【図７】
0003745861.tif 000008
【図８】
0003745861.tif 000009
【図９】
0003745861.tif 000010
【図１０】
0003745861.tif 000011